(57)【特許請求の範囲】
【請求項１】
下地材（２）上に複数の金属製の外囲板（６）を互いに上下方向に所定の間隔を存して一部が重なるように隣接配列し、この配列した互いに隣接する一方側の外囲板（６）と他方側の外囲板（６）とを結合し、該隣接する外囲板（６）（６）の互いに重なり合う部分のスペースに水タンク（１８）を配置し、外囲板（６）の熱で水タンク（１８）内の水を温めるようにした温水システム外囲体において、各外囲板（６）を、水タンク（１８）を覆う平板部（６ｃ）とこの平板部（６ｃ）から更に該平板部（６ｃ）と略同じ幅で延長する延長部（６ｄ）とで構成し、前記下地材（２）に支持体（１４）を、互いに隣接する外囲板（６）（６）のうち一方側の外囲板（６）の延長部（６ｄ）の上から該延長部（６ｄ）とともに止着具（２２）により固定し、該支持体（１４）に他方側の外囲板（６）の一側部を係合し、一方側の外囲板（６）の延長部（６ｄ）上に水タンク（１８）を配置し、他方側の外囲板（６）の平板部（６ｃ）で一方側の外囲板（６）の延長部（６ｄ）上の水タンク（１８）を覆うようにし、前記支持体（１４）に他方側の外囲板（６）の一側部を係合する構成は、前記支持体（１４）に、前記互いに隣接する外囲板（６）（６）の重なり合う部分のスペースに雨水が侵入するのを阻止するための水切り板（１６）を設け、該水切り板（１６）に係合受部（１６ｃ）を設け、外囲板（６）の一側部に引掛部（６ａ）を設け、該引掛部（６ａ）を前記水切り板（１６）の係合受部（１６ｃ）に係合したことを特徴とする温水システム外囲体。
【請求項２】
前記水切り板（１６）を前記支持体（１４）に対して脱着可能とし、前記水切り板（１６）を前記支持体（１４）から外し、該水切り板（１６）と係合する外囲板（６）の平板部（６ｃ）を上昇し、該平板部（６ｃ）で覆われた水タンク（１８）の上方を開放し得るようにしたことを特徴とする「請求項１」に記載の温水システム外囲体。
【請求項３】
前記外囲板（６）の平板部（６ｃ）上に太陽電池モジュールパネル（８）を貼り付け、そのソケット（１０）やコネクターケーブル（１２）を前記平板部（６ｃ）の裏面に配置し、前記水切り板（１６）を前記支持体（１４）に対して脱着可能とし、前記水切り板（１６）を前記支持体（１４）から外し、該水切り板（１６）と係合する外囲板（６）の平板部（６ｃ）を上昇し、前記ソケット（１０）やコネクターケーブル（１２）を外部に開放し得るようにしたことを特徴とする「請求項１」に記載の温水システム外囲体。
【発明の詳細な説明】
【０００１】
【発明の属する技術分野】
本発明は、屋根に照射する太陽光のエネルギーを利用して水を沸かす温水システム外囲体に関する。
【０００２】
【従来の技術】
従来、太陽光のエネルギーを利用して風呂等に用いる温水を得るには、屋根に温水器を取り付ける方法が一般的である。
【０００３】
【発明が解決しようとする課題】
太陽光エネルギーを利用した温水器によって温水を得る方法は、コスト高となるとともに、太陽光が当たるように温水器を屋根に設置する必要があり、屋根の外観を損なってしまうという問題点がある。
本発明は上記問題点を解決することを目的とするものである。
【０００４】
【課題を解決するための手段】
上記目的を達成するため、本発明は、下地材（２）上に複数の金属製の外囲板（６）を互いに上下方向に所定の間隔を存して一部が重なるように隣接配列し、この配列した互いに隣接する一方側の外囲板（６）と他方側の外囲板（６）とを結合し、該隣接する外囲板（６）（６）の互いに重なり合う部分のスペースに水タンク（１８）を配置し、外囲板（６）の熱で水タンク（１８）内の水を温めるようにした温水システム外囲体において、各外囲板（６）を、水タンク（１８）を覆う平板部（６ｃ）とこの平板部（６ｃ）から更に該平板部（６ｃ）と略同じ幅で延長する延長部（６ｄ）とで構成し、前記下地材（２）に支持体（１４）を、互いに隣接する外囲板（６）（６）のうち一方側の外囲板（６）の延長部（６ｄ）の上から該延長部（６ｄ）とともに止着具（２２）により固定し、該支持体（１４）に他方側の外囲板（６）の一側部を係合し、一方側の外囲板（６）の延長部（６ｄ）上に水タンク（１８）を配置し、他方側の外囲板（６）の平板部（６ｃ）で一方側の外囲板（６）の延長部（６ｄ）上の水タンク（１８）を覆うようにし、前記支持体（１４）に他方側の外囲板（６）の一側部を係合する構成は、前記支持体（１４）に、前記互いに隣接する外囲板（６）（６）の重なり合う部分のスペースに雨水が侵入するのを阻止するための水切り板（１６）を設け、該水切り板（１６）に係合受部（１６ｃ）を設け、外囲板（６）の一側部に引掛部（６ａ）を設け、該引掛部（６ａ）を前記水切り板（１６）の係合受部（１６ｃ）に係合したものである。
また本発明は、 前記水切り板（１６）を前記支持体（１４）に対して脱着可能とし、前記水切り板（１６）を前記支持体（１４）から外し、該水切り板（１６）と係合する外囲板（６）の平板部（６ｃ）を上昇し、該平板部（６ｃ）で覆われた水タンク（１８）の上方を開放し得るようにしたものである。
また本発明は、 前記外囲板（６）の平板部（６ｃ）上に太陽電池モジュールパネル（８）を貼り付け、そのソケット（１０）やコネクターケーブル（１２）を前記平板部（６ｃ）の裏面に配置し、前記水切り板（１６）を前記支持体（１４）に対して脱着可能とし、前記水切り板（１６）を前記支持体（１４）から外し、該水切り板（１６）と係合する外囲板（６）の平板部（６ｃ）を上昇し、前記ソケット（１０）やコネクターケーブル（１２）を外部に開放し得るようにしたものである。
【０００５】
【発明の実施の形態】
以下に本発明の実施の形態を添付した図面を参照して詳細に説明する。
２は屋根構造体の下地材であり、木毛板、あるいは、野地板、その他公知の材料により構成され、鉄骨等の梁４により支承されている。図１に示す下地材２は建物の棟より軒先にかけて、左下向き方向に傾斜し、勾配屋根の下地を構成している。
【０００６】
６は図１中、紙面垂直方向に延びる屋根横葺き用の鋼板から成る外囲板であり、一側部にＵ字状の引掛部６ａが屈折形成され、他側部に折り返し立ち上がり部６ｂが屈折形成されている。前記外囲板６は、前記引掛部６ａが形成された平板部６ｃと、前記折り返し立ち上がり部６ｂが形成された延長部６ｄとから成り、複数枚用意されている。
【０００７】
前記外囲板６の、引掛部６ａ形成側の平板部６ｃの所定範囲には、太陽電池モジュールパネル８が複数枚貼り付け固着されている。前記各外囲板６の平板部６ｃの裏面には、太陽電池モジュールパネル用のソケット１０が固着され、これにコネクターケーブル１２を結合できるように構成されている。１４は帯状の鋼板、アルミ板等の金属板から成る支持体であり、下位平板部１４ａと、立ち上がり部１４ｂと、中間平板部１４ｃと、上位取付垂直部１４ｄとから構成されている。
【０００８】
１６は鋼板から成る長尺状の水切り板であり、垂直部１６ａと、垂直部１６ａの上部に略直角に屈折形成された板受部１６ｂと、該板受部１６ｂに一体にこれに対して下向きに傾斜して屈折形成された係合受部１６ｃとから構成されている。１８は水タンクであり、プラスチック、ゴム、金属その他の材料から構成され、内部に水道水２０が入っている。前記水タンク１８には、水供給口（図示省略）と、排出口（図示省略）が設けられている。
【０００９】
次に外囲体の組み立て動作について説明する。
まず、下地材２上に外囲板６を、直接あるいは防水シート（図示省略）を介して載置し、延長部６ｄ側の所定の部分の上に支持体１４を複数所定間隔を存して、外囲板６の長手方向に配置する。次に、各支持体１４の下位平板部１４ａをビスなどの止着具２２で外囲板６とともに下地材２側に固定する。次に、建物の軒に接する外囲板６の一側部に対して公知の技術工法により軒納処理（図示省略）が行われる。
【００１０】
次に、支持体１４の上位取付垂直部１４ｄのねじ穴に水切り板１６のボルト穴を合わせ、ボルト２４をボルト穴から垂直部１４ｄのねじ穴にねじ込んで、水切り板１６を支持体１４に脱着可能に固定する。尚、水切り板１６は、予め支持体１４の上位取付垂直部１４ｄにボルトで脱着可能に固定しておいても良い。該状態において、水切り板１６の下端は、外囲板６の上面に当接あるいは近接し、屋根面の下側への雨水の吹き込みを遮断する作用を担当している。
【００１１】
次に、外囲板６の他側部の折り返し立ち上がり部６ｂと支持体１４の立ち上がり部１４ｂ間に位置させて、外囲板６上に複数の水タンク１８を配置する。この水タンク１８の底部は、下地材２の勾配と略同一の勾配が形成され、水タンク１８を外囲板６上に載置した状態において、水タンク１８の上面は、地面に対して略垂直となるように、水タンク１８の断面形状が略直角三角形に設定されている。また、水タンク１８の、一側部の高さは、これと対向する水切り板１６の板受部１６ｂの高さと略同一となるように構成されている。該状態において、水タンク１８の一側部１８ａと水切り板１６の垂直部１６ａとの間には、太陽電池モジュールパネル用のソケット１０やコネクターケーブル１２配置用の隙間２６が形成される。
【００１２】
次に、他の、太陽電池モジュールパネル８付きの外囲板６を水タンク１８と、水切り板１６の板受部１６ｂ上に載せ、外囲板６の一側部の引掛部６ａを、水切り板１６の係合受部１６ｃに引掛ける。このとき、外囲板６の裏面に固設されたソケット１０及びこれに連結するコネクターケーブル１２を、水切り板１６と水タンク１８の隙間２６に位置させる。該状態において、他方側（上段）の外囲板６と一方側（下段）の外囲板６とは、一部が上下方向に所定の間隔を存して重なった状態で結合し、他方側の外囲板６に固設された太陽電池モジュールパネル８の裏面の全領域は、その下の水タンク１８の上面の略全域と、外囲板６の平板部６ｃを介して、互いに接近して重なるように構成されている。
【００１３】
外囲板６の、太陽電池モジュールパネル８が取り付けられる平板部６ｃの短手方向の幅と、この部分より更に延びる延長部６ｄの短手方向の幅は、図３に示すように、略１：１の割合に設定されている。一方側（下段）の外囲板６に重ねた他方側（上段）の外囲板６の延長部６ｄは、下地材２上に展開配置される。次に、上述した要領で、外囲板６の延長部６ｄの所定の位置に支持体１４の付いた水切り板１６を載せ、支持体１４の下位平坦部１４ａを、止着具２２によって、外囲板６とともに、下地材２に固定する。
【００１４】
次に、外囲板６の延長部６ｄ上に水タンク１８を載せ、その上に他の、太陽電池モジュールパネル８付きの外囲板６を配置し、その引掛部６ａを、対応する水切り板１６の係合受部１６ｃに係合する。このようにして、順次、下地材２上で下段の外囲板６に上段の外囲板６を重ね、互いに結合し、建物の棟と接する外囲板６に棟納め処理を行い、また、ケラバと接する外囲板６にケラバ納めを行って、複数の外囲板６で下地材２上を横葺きする。
【００１５】
上記実施形態において、建物の屋根の一番上の水タンク１８の水供給口には、水道の蛇口に連結するホースが連結し、水道の水をこの水タンク１８に供給できるように構成されている。下地材２上の各水タンク１８は、ホースによって連結され、水道から供給された水が全ての水タンク１８内に満たされるように構成され、各水タンク１８内の水または温水は、屋根の一番下の水タンク１８の排出口からホースを介して、所要の箇所に導くことができるように構成されている。
【００１６】
水タンク１８が万一破損し、水タンク１８から水が漏れたり、水タンクに付着した水滴が落下した場合には、漏れた水あるいは水滴はその下の外囲板６の延長部６ｄに落下し、外囲板６によって、軒先方向に案内される。従って、水タンク１８から漏れた水が下地材２の上面に侵入することがなく、雨漏りの恐れがない。また、水タンク１８や、太陽電池モジュールパネルのソケット１０やコネクターケーブル１２の補修や点検を行う場合には、外部からボルト２４を緩めて外し、外囲板６の引掛部６ａ側の、支持体１４に対する固定を解除すれば、水タンク１８の上の外囲板６の平板部６ｃ側を車のボンネットのように持ち上げることができ、水タンク１８の補修や点検あるいは持ち上げた外囲板６の裏側のソケット１０やコネクターケーブル１２の補修や点検を容易に行う
ことができる。
【００１７】
水タンク１８内の水は、太陽光で熱せられた太陽電池モジュールパネル８及びそれを支持する外囲板６の熱により加熱され、温湯あるいは熱湯となる。この温水は、建物内に取り込まれ、お風呂その他に利用される。尚、外囲板６に太陽電池モジュールパネル８を取り付けることは本発明の必須要件ではないが、そのような構成を採用した場合には、太陽電池モジュールパネル８を水タンク１８と隣接することで太陽電池モジュールパネル８の熱を放散し冷却できるので、太陽電池モジュールパネル８の発電効率を高めることができる。
【００１８】
尚、外囲板６に太陽電池モジュールパネル８を取り付けない場合には、水タンク１８内の水は、太陽光で熱せられた外囲板６の熱により加熱される。尚、本実施形態は外囲板を屋根に使用した場合について説明したが、特に屋根に限定されるものではなく、コンクリート建物の屋上あるいはベランダの外囲体として、あるいは建物の外壁などの外囲体として利用することも可能である。また、本発明は、横葺きに特に限定されるものではなく、また、図４に示すように、外囲板２６に水切り板２６ａを一体的に形成し、外囲板２６に形成した引掛部２６ｂを支持体２８の係合受部２８ａに係合するようにしても良い。図４の他の構成は、図１に示す実施形態の構成と同一である。また、図１において、外囲板２６と水切り板１６とを一体的に形成した構成としても良い。
【００１９】
【発明の効果】
本発明は上述の如く構成したので、安価な構成で温水を得ることができ、しかも水タンクから外部に水が漏れても下地材に回ることがなく安全であるという効果がある。また、外囲板を持ち上げることができるようにした場合には、水タンクや外囲板の裏側に配置した器具の点検補修を容易に行うことができる。また、外囲板に太陽電池モジュールパネルを取り付けた場合には、その発電効率を高めることができる。
【図面の簡単な説明】
【図１】本発明である外囲体の要部の断面図である。
【図２】水切り板の外観図である。
【図３】外囲板の外観図である。
【図４】本発明の他の実施形態を示す断面図である。
【符号の説明】
２      下地材
４      梁
６      外囲板
８      太陽電池モジュールパネル
１０    ソケット
１２    コネクターケーブル
１４    支持体
１６    水切り板
１８    水タンク
２０    水
２２    止着具
２４    ボルト
２６    外囲板
【図１】
0003940285.tif 000002
【図２】
0003940285.tif 000003
【図３】
0003940285.tif 000004
【図４】
0003940285.tif 000005